(57)【特許請求の範囲】
【請求項１】
両端に基端リング(14a)及び先端リング(14b)が形成され重量物(13)に巻付けられる巻付吊上げ材(14)と、
下端に第１ロアリング(11a)が形成され上端に第１アッパリング(11b)が形成され前記第１ロアリング(11a)が前記基端リング(14a)に係合し前記第１アッパリング(11b)が吊上げ装置(16)に係合する第１吊上げ材(11)と、
下端に第２ロアリング(12a)が形成され上端に第２アッパリング(12b)が形成され前記第２ロアリング(12a)がレバー(23)を介して前記第１ロアリング(11a)に係合する第２吊上げ材(12)と、
前記吊上げ装置(16)に設けられ張力の掛った前記第２吊上げ材(12)の第２アッパリング(12b)が係合し前記第２吊上げ材(12)への張力が解除されたときに前記第２アッパリング(12b)を自動的に解放する吊上げ材係脱手段(19)と
を備えた重量物吊上げ材の取外し機構であって、
前記レバー(23)に前記先端リング(14b)が遊嵌されたことを特徴とする重量物吊上げ材の取外し機構。
【請求項２】
第１吊上げ材(11)の第１ロアリング(11a)にレバー用フック(24)が取付けられ、
レバー(23)の一端(23a)にレバー用リング(26)が取付けられ、
前記レバー用リング(26)が前記レバー用フック(24)に離脱可能に係止するように構成された請求項１記載の重量物吊上げ材の取外し機構。
【請求項３】
レバー用リング(26)がレバー(23)の一端(23a)に取外し可能に取付けられ、第２吊上げ材(12)の第２ロアリング(12a)が前記レバー(23)の他端(23b)に取外し可能に取付けられた請求項１又は２記載の重量物吊上げ材の取外し機構。
【発明の詳細な説明】
【０００１】
【発明の属する技術分野】
本発明は、防波堤や護岸の根固めや保護に用いられるテトラポッド（（株）テトラの商標名）等の重量物を吊上げるワイヤ、ケーブル、化学繊維系ロープ、チェーン等の重量物吊上げ材を重量物から取外す機構に関するものである。
【０００２】
【従来の技術】
従来、コンクリートブロック製のテトラポッドを吊上げるには、図９〜図１２に示すように、主ワイヤ１及び巻付ワイヤ４を介して吊上げ装置６により吊上げ、所定の場所に下ろしたときに自動的に巻付ワイヤ４を取外せる機構が知られている。このワイヤ取外し機構では、主ワイヤ１の下端にはロアリング１ａが形成され、上端にはアッパリング１ｂが形成される。また巻付ワイヤ４の基端には基端リング４ａが形成され、先端には先端リング４ｂが形成される。吊上げ装置６はクレーン（図示せず）と、このクレーンのビームの先端から吊下げられたクレーン用フック７と、このクレーン用フック７に係脱用ワイヤ８を介して吊下げられたワイヤ係脱手段９とを有する。ワイヤ係脱手段９は係脱用ワイヤ８の下端に取付けられた支軸９ａと、中央が支軸９ａに回動可能に保持され基部９ｃ及びフック本体９ｄからなる係脱フック９ｂと、この係脱フック９ｂの基部９ｃに設けられた重り９ｅとからなる。
【０００３】
また主ワイヤ１のロアリング１ａはシャックル５を介して巻付ワイヤ４の基端リング４ａに係合し、主ワイヤ１のアッパリング１ｂはクレーン用フック７に係合し、更に巻付ワイヤ４の先端リング４ｂは係脱フック９ｂのフック本体９ｄに係合可能に構成される。更にワイヤ係脱手段９は係脱フック９ｂを支軸９ａを中心に回転させて重り９ｅを上昇させかつフック本体９ｄを下降させた状態で、張力の掛った巻付ワイヤ４の先端リング４ｂがフック本体９ｄに係合し、巻付ワイヤ４への張力が解除されたときに、重り９ｅが下降しかつフック本体９ｄが上昇する方向に係脱フック９ｂが支軸９ａを中心に自動的に回転し、先端リング４ｂがフック本体９ｄの先端から外れて自動的に解放されるように構成される。
【０００４】
このように構成されたワイヤ取外し機構を用いて、テトラポッド３を吊上げるには、先ずクレーン用フック７に主ワイヤ１のアッパリング１ｂを係合し、かつ係脱用ワイヤ８を介してワイヤ係脱手段９を吊下げる。このとき主ワイヤ１のロアリング１ａには巻付ワイヤ４の基端リング４ａをシャックル５を介して係合させる。この状態でクレーン用フック７がテトラポッド３の上方に位置しかつ巻付ワイヤ４の下部がテトラポッド３近傍の地面に着地するようにクレーンを操作する。次に巻付ワイヤ４をテトラポッド３に巻付け、シャックル５に通した後に、先端リング４ｂを係脱フック９ｂのフック本体９ｄに係合する。このとき巻付ワイヤ４には所定の張力が掛っているので、先端リング４ｂはフック本体９ｄに係合した状態に保持される（図９）。この状態でクレーンを操作してクレーン用フック７を上昇させることにより、テトラポッド３を吊上げることができる。
【０００５】
テトラポッド３が所定の場所の上方に位置するようにクレーンを操作して、クレーン用フック７を下降させると、テトラポッド３が所定の場所に着地する（図９）。クレーン用フック７を更に下降させて主ワイヤ１及び巻付ワイヤ４を緩めると、係脱フック９ｂが重り９ｅの重力により支軸９ａを中心に自動的に回転する、即ち重り９ｅが下降しかつフック本体９ｄが上昇するので、先端リング４ｂが自動的にフック本体９ｄの先端から外れて解放される（図１０）。この状態でクレーン用フック７を上昇させて主ワイヤ１を引上げると、巻付ワイヤ４がシャックル５内を抜ける方向に摺動する（図１１）。主ワイヤ１を更に引上げると、巻付ワイヤ４がシャックル５から抜けた後に（図１２）、巻付ワイヤ４をテトラポッド３から引抜くことができるようになっている。
【０００６】
【発明が解決しようとする課題】
しかし、上記従来のワイヤ取外し機構では、巻付ワイヤのテトラポッドからの引抜き距離が長いため、巻付ワイヤの引抜き時間が長くなり、かつクレーン用フックの引上げ高さが高くなる不具合があった。このため、揚程の短いクレーンではテトラポッドから巻付ワイヤを引抜くことができない問題点があった。
また、上記従来のワイヤ取外し機構では、巻付ワイヤが長いため、巻付ワイヤを重量物から引抜くときに巻付ワイヤが突起物等に引っ掛かる確率が高くなり、巻付ワイヤをテトラポッドから引抜くときの摩擦抵抗が大きくなる。このため、巻付ワイヤが損傷し易い問題点もあった。
更に、上記従来のワイヤ取外し機構では、交換頻度の高い巻付ワイヤが長いため、巻付ワイヤの単価が高く、メンテナンス費用が増大する問題点もあった。
【０００７】
本発明の第１の目的は、巻付吊上げ材の重量物からの引抜き距離を短くすることができ、これにより巻付吊上げ材の引抜き時間を短縮できるとともに、揚程の短い吊上げ装置でも重量物から巻付吊上げ材を引抜くことができる、重量物吊上げ材の取外し機構を提供することにある。
本発明の第２の目的は、巻付吊上げ材の全長を短くすることにより巻付吊上げ材を重量物から引抜くときに巻付吊上げ材が突起物等に引っ掛かる確率を低減することができ、これにより巻付吊上げ材の損傷を少なくすることができる、重量物吊上げ材の取外し機構を提供することにある。
本発明の第３の目的は、交換頻度の高い巻付吊上げ材の全長を短くすることができ、これによりメンテナンス費用を低減できる、重量物吊上げ材の取外し機構を提供することにある。
本発明の第４の目的は、重量物を吊上げるときにこの重量物に巻付けた巻付吊上げ材の先端リングをレバーに速やかに遊嵌できる、重量物吊上げ材の取外し機構を提供することにある。
本発明の第５の目的は、第２吊上げ材、レバー及びレバー用リングを個々に交換することができる、重量物吊上げ材の取外し機構を提供することにある。
【０００８】
【課題を解決するための手段】
請求項１に係る発明は、図１に示すように、両端に基端リング１４ａ及び先端リング１４ｂが形成され重量物１３に巻付けられる巻付吊上げ材１４と、下端に第１ロアリング１１ａが形成され上端に第１アッパリング１１ｂが形成され第１ロアリング１１ａが基端リング１４ａに係合し第１アッパリング１１ｂが吊上げ装置１６に係合する第１吊上げ材１１と、下端に第２ロアリング１２ａが形成され上端に第２アッパリング１２ｂが形成され第２ロアリング１２ａがレバー２３を介して第１ロアリング１１ａに係合する第２吊上げ材１２と、吊上げ装置１６に設けられ張力の掛った第２吊上げ材１２の第２アッパリング１２ｂが係合し第２吊上げ材１２への張力が解除されたときに第２アッパリング１２ｂを自動的に解放する吊上げ材係脱手段１９とを備えた重量物吊上げ材の取外し機構であって、レバー２３に先端リング１４ｂが遊嵌されたことを特徴とする重量物吊上げ材の取外し機構である。
【０００９】
この請求項１に記載された重量物吊上げ材の取外し機構では、重量物１３を吊上げ装置１６及び各吊上げ材１１，１２，１４を用いて吊上げ所定の場所に下ろした後に、第１及び第２吊上げ材１１，１２を緩めると、第２吊上げ材１２の第２アッパリング１２ｂが吊上げ材係脱手段１９から自動的に解放される。この状態で吊上げ装置１６により第１吊上げ材１１を引上げると、第２吊上げ材１２が巻付吊上げ材１４の先端リング１４ｂ内を抜ける方向に摺動し、第１吊上げ材１１を更に引上げると、第２吊上げ材１２が巻付吊上げ材１４の先端リング１４ｂから抜けた後に、巻付吊上げ材１４が重量物１３から引抜かれる。この結果、巻付吊上げ材１４の重量物１３からの引抜き距離を短くすることができるとともに、巻付吊上げ材１４の全長を短くすることができる。
【００１０】
請求項２に係る発明は、請求項１に係る発明であって、更に図１に示すように、第１吊上げ材１１の第１ロアリング１１ａにレバー用フック２４が取付けられ、レバー２３の一端２３ａにレバー用リング２６が取付けられ、レバー用リング２６がレバー用フック２４に離脱可能に係止するように構成されたことを特徴とする。
この請求項２に記載された重量物吊上げ材の取外し機構では、重量物１３に巻付けた巻付吊上げ材１４の先端リング１４ｂをレバー用リング２６側からレバー２３に遊嵌した後に、レバー用リング２６をレバー用フック２４に係止し、更に第２吊上げ材１２の第２アッパリング１２ｂを吊上げ材係脱手段１９に係合するという、比較的簡単な作業で重量物１３の吊上げ作業を開始できる。このとき巻付吊上げ材１４の先端リング１４ｂをレバー用リング２６側からレバー２３に遊嵌することにより、巻付吊上げ材１４の先端リング１４ｂをレバー２３に速やかに遊嵌できる。
【００１１】
請求項３に係る発明は、請求項１又は２に係る発明であって、更に図５〜図７に示すように、レバー用リング２６がレバー２３の一端２３ａに取外し可能に取付けられ、第２吊上げ材１２の第２ロアリング１２ａがレバー２３の他端２３ｂに取外し可能に取付けられたことを特徴とする。
この請求項３に記載された重量物吊上げ材の取外し機構では、第２吊上げ材１２の第２ロアリング１２ａ及びレバー用リング２６をレバー２３からそれぞれ取外すことができるので、第２吊上げ材１２、レバー２３及びレバー用リング２６を個々に交換することができる。
【００１２】
【発明の実施の形態】
次に本発明の第１の実施の形態を図面に基づいて説明する。
図１に示すように、この実施の形態では重量物１３は中心から四方に脚１３ａが突出するコンクリートブロック製のテトラポッド（（株）テトラの商標名）である。このテトラポッド１３には巻付ワイヤ１４が巻付けられ、この巻付ワイヤ１４は第１及び第２ワイヤ１１，１２を介して吊上げ装置１６により吊上げられるように構成される。巻付ワイヤ１４の基端には基端リング１４ａが形成され、先端には先端リング１４ｂが形成される。また第１ワイヤ１１の下端には第１ロアリング１１ａが形成され、上端には第１アッパリング１１ｂが形成される。更に第２ワイヤ１２の下端には第２ロアリング１２ａが形成され、上端には第２アッパリング１２ｂが形成される。
【００１３】
吊上げ装置１６はクレーン（図示せず）と、このクレーンのビームの先端から吊下げられたクレーン用フック１７と、このクレーン用フック１７に係脱用ワイヤ１８を介して吊下げられたワイヤ係脱手段１９とを有する。ワイヤ係脱手段１９は係脱用ワイヤ１８の下端に取付けられた支軸１９ａと、中央が支軸１９ａに回動可能に保持され基部１９ｃ及びフック本体１９ｄからなる係脱フック１９ｂと、この係脱フック１９ｂの基部１９ｃに設けられた重り１９ｅとにより構成される。
【００１４】
第１ワイヤ１１の第１ロアリング１１ａは巻付ワイヤ１４の基端リング１４ａに係合し、第１ワイヤ１１の第１アッパリング１１ｂはクレーン用フック１７に係合する。上記第１ロアリング１１ａと基端リング１４ａとの間には第１シャックル２１が介装される。また第２ワイヤ１２の第２ロアリング１２ａはレバー２３を介して第１ワイヤ１１の第１ロアリング１１ａに係合し、第２ワイヤ１２の第２アッパリング１２ｂは係脱フック１９ｂのフック本体１９ｄに係合し、更にレバー２３には巻付ワイヤ１４の先端リング１４ｂが遊嵌される。第１ロアリング１１ａには第２シャックル２２を介してレバー用フック２４が取付けられ、レバー２３の一端２３ａにはレバー用リング２６が取付けられる。レバー用リング２６はレバー用フック２４に離脱可能に係止するように構成される。
【００１５】
巻付ワイヤ１４の長さはこのワイヤ１４をテトラポッド１３に巻付けたときに１周する長さに又はそれよりも僅かに長く設定される（図１及び図２）。また第２ワイヤ１２の長さはこの実施の形態では、第１ワイヤ１１の下端に第２ワイヤ１２（第２シャックル２２、レバー用フック２４、レバー用リング２６及びレバー２３を含む。）及び巻付ワイヤ１４（第１シャックル２１を含む。）を吊下げた状態で、第２ワイヤ１２の下端の方が巻付ワイヤ１４の下端より上方に位置するように設定される。これは巻付ワイヤ１４をテトラポッド１３から引抜くときに先端リング１４ｂに遊挿されている第２ワイヤ１２が先端リング１４ｂから抜ける前にテトラポッド１３の下に潜り込むのを阻止するためである。なお、巻付ワイヤ１４をテトラポッド１３から引抜くときに先端リング１４ｂに遊挿されている第２ワイヤ１２が先端リング１４ｂから抜ける前にテトラポッド１３の下方に潜り込むのを阻止できれば、 第１ワイヤ１１の下端に第２ワイヤ１２（第２シャックル２２、レバー用フック２４、レバー用リング２６及びレバー２３を含む。）及び巻付ワイヤ１４（第１シャックル２１を含む。）を吊下げた状態で、第２ワイヤ１２の下端が巻付ワイヤ１４の下端とほぼ同一レベル（ほぼ同一高さ）になるように第２ワイヤ１２の長さを設定してもよい。
【００１６】
上記レバー２３は図５〜図７に示すように略く字状に屈曲して形成され、レバー２３の他端２３ｂは一端２３ａより厚く形成される。レバー２３の他端２３ｂ近傍にはテーパ部２３ｃが設けられ、このテーパ部２３ｃによりレバー２３はその中央から他端２３ｂに向って次第に厚くなるように形成される。レバー２３の一端にはレバー用リング２６を挿入可能な第１凹溝２３ｄと、第１ボルト３１ａを挿通可能な一対の第１通孔２３ｅ，２３ｅが形成される。またレバー２３の他端２３ｂには第２ワイヤ１２の第２ロアリング１２ａを挿入可能な第２凹溝２３ｆと、第２ボルト３２ａを挿通可能な一対の第２通孔２３ｇ，２３ｇと、第２ボルト３２ａの頭部を挿入可能なボルト挿入穴２３ｈと、第２ナット３２ｂを挿入可能なナット挿入凹部２３ｉとが形成される。
【００１７】
第１凹溝２３ｄにレバー用リング２６を挿入した状態で一対の第１通孔２３ｅ，２３ｅに第１ボルト３１ａを挿通してその先端に第１ナット３１ｂを螺合することにより、レバー用リング２６がレバー２３の一端２３ａに取外し可能に取付けられる。また第２凹溝２３ｆに第２ワイヤ１２の第２ロアリング１２ａを挿入した状態で一対の第２通孔２３ｇ，２３ｇに第２ボルト３２ａを挿通してその先端に第２ナット３２ｂを螺合することにより、第２ロアリング１２ａがレバー２３の他端２３ｂに取外し可能に取付けられる。なお、第２ボルト３２ａの頭部はボルト挿入穴２３ｈに没入し、第２ナット３２ｂはナット挿入凹部２３ｉに没入するため、レバー２３に遊嵌された巻付ワイヤ１４の先端リング１４ｂがレバー２３から第２ワイヤ１２に移動するときに、先端リング１４ｂが第２ボルト３２ａの頭部や第２ナット３２ｂに引っ掛かることを阻止できるようになっている。
【００１８】
図１に戻って、ワイヤ係脱手段１９は係脱フック１９ｂを支軸１９ａを中心に回転させて重り１９ｅを上昇させかつフック本体１９ｄを下降させた状態で、張力の掛った第２ワイヤ１２の第２アッパリング１２ｂがフック本体１９ｄに係合可能に構成され、かつこの係合状態が保持されるように構成される。またワイヤ係脱手段１９は第２ワイヤ１２への張力が解除されたときに、重り１９ｅが下降しかつフック本体１９ｄが上昇する方向に係脱フック１９ｂが支軸１９ａを中心に自動的に回転し、第２アッパリング１２ｂがフック本体１９ｄの先端から外れて自動的に解放されるように構成される。
【００１９】
このように構成されたワイヤの取外し機構の動作を図１〜図４に基づいて説明する。
テトラポッド１３を吊上げるには、先ずクレーン用フック１７に第１ワイヤ１１の第１アッパリング１１ｂを係合し、かつ係脱用ワイヤ１８を介してワイヤ係脱手段１９を吊下げる。このとき第１ワイヤ１１の第１ロアリング１１ａには巻付ワイヤ１４の基端リング１４ａを第１シャックル２１を介して係合させる。この状態でクレーン用フック１７がテトラポッド１３の上方に位置しかつ巻付ワイヤ１４がテトラポッド１３近傍の地面に着地するようにクレーンを操作する。次に巻付ワイヤ１４をテトラポッド１３に巻付け、第２ワイヤ１２の第２ロアリング１２ａにレバー２３を介して取付けられたレバー用リング２６を巻付ワイヤ１４の先端リング１４ｂに遊挿した後に、第１ワイヤ１１の第１ロアリング１１ａに第２シャックル２２を介して取付けられたレバー用フック２４に係合する。このとき先端リング１４ｂはレバー２３に遊嵌された状態に保持される。更に第２ワイヤ１２の第２アッパリング１２ｂを係脱フック１９ｂのフック本体１９ｄに係合する。このとき第２ワイヤ１２には所定の張力が掛っているので、第２アッパリング１２ｂはフック本体１９ｄに係合した状態に保持される（図１）。この状態でクレーンを操作してクレーン用フック１７を上昇させることにより、テトラポッド１３を吊上げることができる。このように比較的簡単な作業でテトラポッド１３を吊上げるための準備は完了し、テトラポッド１３の吊上げ作業を開始できる。
【００２０】
クレーンを操作し、テトラポッド１３を吊上げ所定の場所の上方に位置させて、クレーン用フック１７を下降させると、テトラポッド１３が所定の場所に着地する（図１）。クレーン用フック１７を更に下降させて第１及び第２ワイヤ１１，１２を緩めると、係脱フック１９ｂが重り１９ｅの重力により支軸１９ａを中心に自動的に回転する、即ち重り１９ｅが下降しかつフック本体１９ｄが上昇するので、第２アッパリング１２ｂが自動的にフック本体１９ｄの先端から外れて解放される（図２）。この状態でクレーン用フック１７を上昇させて第１ワイヤ１１を引上げると、第２ワイヤ１２が巻付ワイヤ１４の先端リング１４ｂ内を抜ける方向に摺動する（図３）。第１ワイヤ１１を更に引上げると、第２ワイヤ１２が巻付ワイヤ１４の先端リング１４ｂから抜けた後に（図４）、巻付ワイヤ１４がテトラポッド１３から引抜かれる。
【００２１】
この結果、巻付ワイヤ１４のテトラポッド１３からの引抜き距離を短くすることができるので、巻付ワイヤ１４の引抜き時間を短縮できるとともに、揚程の短いクレーンでもテトラポッド１３から巻付ワイヤ１４を引抜くことができる。また巻付ワイヤ１４を短くすることができるので、巻付ワイヤ１４がテトラポッド１３と地面との間の突起物に引っ掛かる確率が少なくなり、巻付ワイヤ１４をテトラポッド１３から引抜くときの摩擦抵抗が低減され、これにより巻付ワイヤ１４の損傷を少なくすることができる。一方、交換頻度の高い巻付ワイヤ１４の全長を短くすることができるので、巻付ワイヤ１４の単価が安くなり、これによりメンテナンス費用を低減することができる。
【００２２】
なお、上記実施の形態では、吊上げ材としてワイヤを挙げたが、ケーブル、化学繊維系ロープ、チェーン又はその他の吊上げ材を用いてもよい。
また、上記実施の形態では、第１ワイヤの第１アッパリングをクレーンのフックに係合したが、第１ワイヤの第１アッパリングをワイヤ係脱手段の支軸に係合してもよい。
また、上記実施の形態では、重量物としてコンクリートブロック製のテトラポッドを挙げたが、立方体状又は直方体状のコンクリートブロック、魚礁、ケーソン（潜函）、金属製若しくはコンクリート製の構造物、又はその他の重量物でもよい。ここで、重量物には大型の重量物の他に小型の重量物も含まれる。
また、上記実施の形態では、吊上げ装置により１個のテトラポッドを吊上げたが、２個又は３個以上のテトラポッド等の重量物を同時に吊上げてもよい。
【００２３】
また、上記実施の形態では、比較的小型のテトラポッドを巻付ワイヤ、第１及び第２ワイヤを１本ずつ用いて吊上げたが（いわゆる斜吊り）、数十トンにも及ぶ極めて重いテトラポッド等の重量物を吊上げる場合には、巻付ワイヤ、第１及び第２ワイヤをそれぞれ同数の複数本ずつ（例えば、２本ずつ、４本ずつ、６本ずつ）用いて吊上げてもよい（いわゆる蝶々吊りなど）。
また、上記実施の形態では、レバーの一端をレバー用リング及びレバー用フックを介して第２シャックルに取付けたが、図８に示すように、レバー２３の一端を直接第２シャックル２２に取付けてもよい。
【００２４】
更に、上記実施の形態では、ワイヤ係脱手段として、係脱用ワイヤの下端に取付けられた支軸と、中央が支軸に支持され基部とフック本体からなる係脱フックと、この係脱フックの基部に設けられた重りとにより構成されたものを挙げたが、特開平２０００−１５３９８６号公報や特開平７−２５５７８号公報に示される装置を用いてもよい。
前者（特開平２０００−１５３９８６号公報に示される装置）は第１ワイヤの第１アッパリングがベースに係合しかつ第２ワイヤの第２アッパリングがマストに嵌入され、マストに上下動可能に設けられたスライダの上端が無荷重状態でスライダ用弾性体により少なくともマストの上端に一致するように押上げられ、スライダ下降手段がスライダを下降させ、ロック手段が下降状態でスライダを固定し、更にロック解除手段がスライダの固定を解除するように構成された重量物吊上げ材の取外し装置である。この装置では、ベース内に上下動可能に挿入されたセンサロッドがスライダに緊張材を介して連絡し、ベースに枢着されたハンドルの先端がセンサロッドに係止しかつ基端にベース外方に位置する操作部が設けられる。また上記ハンドルの操作時にセンサロッドが上昇することによりスライダが下降するように構成される。
【００２５】
後者（特開平７−２５５７８号公報に示される装置）はベースとクレーンのフックとの間に上部ワイヤが設けられ、第１ワイヤの第１アッパリングがベースに取付けられ、第２ワイヤの第２アッパリングがベースに立設されたマストに嵌入された重量物吊上げ材の取外し装置である。この装置では、マストに摺動可能に嵌入されたスライダが無荷重状態で第１弾性体によりその上端が少なくともマストの上端に一致するように押上げられ、スライダ下降手段が第１弾性体の弾性力に打勝ってスライダを下降させるように構成される。またロック手段がスライダの下降した状態でスライダ下降手段を一時的に固定し、ロック解除手段がロック手段を解除するように構成される。
【００２６】
【発明の効果】
以上述べたように、本発明によれば、第１吊上げ材の第１ロアリングが巻付吊上げ材の基端リングに係合し、第１アッパリングが吊上げ装置に係合し、第２吊上げ材の第２ロアリングがレバーを介して第１ロアリングに係合し、張力の掛った第２吊上げ材の第２アッパリングが係合する吊上げ材係脱手段が第２吊上げ材への張力が解除されたときに第２アッパリングを自動的に解放し、更にレバーに先端リングを遊嵌したので、重量物を所定の場所に下ろして第１及び第２吊上げ材を緩めると、第２吊上げ材の第２アッパリングが吊上げ材係脱手段から自動的に解放され、この状態で吊上げ装置により第１吊上げ材を引上げると、第２吊上げ材が巻付吊上げ材の先端リングから抜けた後に、巻付吊上げ材が重量物から引抜かれる。この結果、巻付吊上げ材の重量物からの引抜き距離を短くすることができるので、巻付吊上げ材の引抜き時間を短縮できるとともに、揚程の短い吊上げ装置でも重量物から巻付吊上げ材を引抜くことができる。
また巻付吊上げ材の全長を短くすることにより巻付吊上げ材を重量物から引抜くときに巻付吊上げ材が突起物等に引っ掛かる確率を低減することができるので、巻付吊上げ材の損傷を少なくすることができる。一方、交換頻度の高い巻付吊上げ材の全長を短くすることで、メンテナンス費用を低減することができる。
【００２７】
また第１吊上げ材の第１ロアリングにレバー用フックを取付け、レバーの一端にレバー用リングを取付け、レバー用リングがレバー用フックに離脱可能に係止するように構成すれば、重量物に巻付けた巻付吊上げ材の先端リングをレバー用リング側からレバーに遊嵌することにより、上記先端リングをレバーに速やかに遊嵌できる。
更にレバー用リングをレバーの一端に取外し可能に取付け、第２吊上げ材の第２ロアリングをレバーの他端に取外し可能に取付ければ、第２吊上げ材の第２ロアリング及びレバー用リングをレバーからそれぞれ取外すことができるので、第２吊上げ材、レバー及びレバー用リングを個々に交換することができ、メンテナンス費用を低減できる。
【図面の簡単な説明】
【図１】本発明第１実施形態のテトラポッドを吊上げ装置及び各ワイヤを用いて吊上げる直前及び所定の場所に下ろした直後の状態を示す正面図。
【図２】第１及び第２ワイヤを緩めて第２ワイヤの第２アッパリングがワイヤ係脱手段から外れた状態を示す図１に対応する正面図。
【図３】吊上げ装置により第１ワイヤを引上げて、第２ワイヤが巻付ワイヤの先端リング内を抜ける方向に摺動している状態を示す図１に対応する正面図。
【図４】吊上げ装置により第１ワイヤを更に引上げて、第２ワイヤが巻付ワイヤの先端リングから抜けた状態を示す図１に対応する正面図。
【図５】レバー及びその周辺のワイヤを示す要部拡大図。
【図６】図５のＡ−Ａ線断面図。
【図７】図５のＢ−Ｂ線断面図。
【図８】本発明の第２実施形態を示す図１に対応する正面図。
【図９】従来例のテトラポッドを吊上げ装置及び各ワイヤを用いて吊上げる直前及び所定の場所に下ろした直後の状態を示す正面図。
【図１０】主ワイヤ及び巻付ワイヤを緩めて巻付ワイヤの巻付用アッパリングがワイヤ係脱手段から外れた状態を示す図９に対応する正面図。
【図１１】吊上げ装置により主ワイヤを引上げて、巻付ワイヤがシャックル内を抜ける方向に摺動している状態を示す図９に対応する正面図。
【図１２】吊上げ装置により主ワイヤを更に引上げて、巻付ワイヤがシャックルから抜けた状態を示す図９に対応する正面図。
【符号の説明】
１１  第１ワイヤ（第１吊上げ材）
１１ａ  第１ロアリング
１１ｂ  第１アッパリング
１２  第２ワイヤ（第２吊上げ材）
１２ａ  第２ロアリング
１２ｂ  第２アッパリング
１３  テトラポッド（重量物）
１４  巻付ワイヤ（巻付吊上げ材）
１４ａ  基端リング
１４ｂ  先端リング
１６  吊上げ装置
１９  ワイヤ係脱手段（吊上げ材係脱手段）
２３  レバー
２３ａ  レバーの一端
２３ｂ  レバーの他端
２４  レバー用フック
２６  レバー用リング
【図１】
0004524031.tif 000002
【図２】
0004524031.tif 000003
【図３】
0004524031.tif 000004
【図４】
0004524031.tif 000005
【図５】
0004524031.tif 000006
【図６】
0004524031.tif 000007
【図７】
0004524031.tif 000008
【図８】
0004524031.tif 000009
【図９】
0004524031.tif 000010
【図１０】
0004524031.tif 000011
【図１１】
0004524031.tif 000012
【図１２】
0004524031.tif 000013